(57)【要約】【課題】キャップ本体の内部に、クリップのばね性をだすためのスプリングを配し、気密を確保するための内キャップを有した構造の筆記具用キャップにおいて、構造が複雑とならずにかつ組立性が悪くならないように、内キャップを摺動可能にする。【解決手段】頭冠８に固定した吊りビス１０に係止溝１７と係止突部２１を形成し、有底状の内キャップ２２を、該内キャップに設けた係止突起２５を前記係止溝１７に係止し、係止突起２８を前記係止突部２１に係止して、内キャップ２２がキャップ本体２の頭端部３側へ摺動可能に装着し、吊りビス１０と内キャップ２２との間にコイルスプリング２９を介在して内キャップ２２をキャップ本体２の開口端部１６側に付勢する。【選択図】図１
2008194954.tif 000002
【特許請求の範囲】
【請求項１】
キャップ本体の前方の頭部に配した頭冠とキャップ本体の内部に頭冠側への移動を抑止して配した吊り駒とにより、クリップを、キャップ本体に挿入したクリップの取付部に設けた取付孔に頭冠又は吊り駒のどちらか一方に形成した軸部を挿通して吊り駒又は頭冠に止着することで挟持し、クリップの取付部と吊り駒との間にコイルスプリングを配してなる筆記具用キャップであって、
吊り駒に、開口した空間部を有する収容部を形成するとともに、収容部の内壁面に、係止溝又は内方に突出した係止突起からなる第１の係止部と、内方に突出した突状の、開口部側の側面を開口部に向かうにしたがって漸次内径が大径となる傾斜面とし、反対側の側面を軸心方向に対して起立した起立面とした第２の係止部を設け、
小径な頭端部を有した有底状の内キャップを、頭端部の外周面に、吊り駒の第１の係止部に係止可能な係止突起又は係止溝からなる第１の被係止部と、吊り駒の第２の係止部を乗り越えて係止可能な突状の、前方側の側面を前方に向かうにしたがって漸次外径が小径となる傾斜面とし、反対側の側面を軸心方向に対して起立した起立面とした第２の被係止部を形成し、
内キャップの頭端部に形成した第１の被係止部を吊り駒の第１の係止部に係止するとともに第２の被係止部を吊り駒の第２の係止部より頭冠側に位置させて、頭端部を吊り駒の収容部に遊嵌し、
吊り駒と内キャップとの間に弾性部材を配設して、
内キャップをキャップ本体に対して摺動可能にかつキャップ本体の開口端部側に付勢して配したことを特徴とする、筆記具用キャップ。
【発明の詳細な説明】
【技術分野】
【０００１】
本発明は、キャップ本体の内部に、気密性を向上するための内キャップを配設した筆記具用キャップに関する。
【背景技術】
【０００２】
キャップ本体にクリップの取付け部を挿入し、キャップ本体の前方の頭部に配した頭冠とキャップ本体の内部に頭冠側への移動を抑止して配した吊り駒とにより、頭冠又は吊り駒のどちらか一方から延びた軸部を、前記クリップの取付部に設けた取付孔に挿通して、軸部を吊り駒又は頭冠に止着し、クリップの取付部と吊り駒との間にコイルスプリングを配した構造の筆記具用キャップは知られている。前記コイルスプリングは、軸筒の側面で被挟持物をしっかりと挟持するために、クリップの先端部を軸筒の側面に押圧させるもので、いわゆるクリップのばね性をもたすためのものである。また、こうした筆記具用キャップにおいて、キャップ本体の内部に気密性を向上するための内キャップを配設した構造のものも知られており、例えば実開昭６２−７５９８２号公報によりそうした構造が開示されている。
【０００３】
一方、キャップ内部に内キャップを配設した筆記具用キャップにおいて、内キャップや該内キャップに嵌合する筆記具本体の先端部分の寸法公差等の関係から、あるいは筆記具本体の先端部分のキャップへの嵌合が螺子嵌合による場合は螺子嵌合の度合により、内キャップと筆記具本体の先端部分がしっかりと衝接しないために、内キャップ内の気密が確保できないことがある。また、特にキャップが万年筆用のキャップの場合には、内キャップに万年筆の首部筒を嵌合すると、内キャップ内部の空気が圧縮されて圧力が高くなり、筆記時に首部筒を内キャップより離脱すると内キャップ内部の空気が急激に減圧され、首部筒内のインキを外部に引き出すためにペン先よりインキが飛び出してキャップ内を汚染するという問題等が生じることがある。こうした問題を解決するために、内キャップの先端部と筆記具本体の先端部がしっかりと衝接するように、または、過剰に内キャップ内部の圧力が高くならないように、内キャップをコイルスプリング等の弾性部材を介してキャップの開口部側へ付勢した構造のものが知られており、例えば特開平１１−３２１１８１号公報にそうした技術が開示されている。
【特許文献１】実開昭６２−７５９８２号公報
【特許文献２】特開平１１−３２１１８１号公報
【発明の開示】
【発明が解決しようとする課題】
【０００４】
前者の、クリップの取付け部をキャップ本体に挿入し、クリップとしてのばね性を得るためにクリップの取付部にコイルスプリングを配した構造の筆記具用キャップや、後者の、内キャップをコイルスプリング等の弾性部材を介してキャップの開口部側へ付勢した構造の筆記具用キャップについて、各々の構造については多数提案されているが、前者の構造の筆記具用キャップにおいて、さらに内キャップをコイルスプリング等の弾性部材を介してキャップの開口部側へ付勢した構造の筆記具用キャップは提案されていない。また、現実問題として、そうしたものは構造が複雑となり組立性が悪くなるという問題がある。
【０００５】
本発明は、キャップ本体の頭部に配した頭冠とキャップ本体の内部に頭冠側への移動を抑止して配した吊り駒とにより、クリップを、キャップ本体に挿入したクリップの取付部に設けた取付孔に頭冠又は吊り駒のどちらか一方から延びた軸部を挿通して、軸部を吊り駒又は頭冠に止着し、クリップの取付部と吊り駒との間にコイルスプリングを配してキャップ本体に取付けた構造の筆記具用キャップにおいて、構造が複雑にならずにかつ組立性が悪くならないように、キャップ本体内に内キャップを摺動可能に装着した筆記具用キャップを提案するものである。
【課題を解決するための手段】
【０００６】
本発明は、キャップ本体の前方の頭部に配した頭冠とキャップ本体の内部に頭冠側への移動を抑止して配した吊り駒とにより、クリップを、キャップ本体に挿入したクリップの取付部に設けた取付孔に頭冠又は吊り駒のどちらか一方に形成した軸部を挿通して吊り駒又は頭冠に止着することで挟持し、クリップの取付部と吊り駒との間にコイルスプリングを配してなる筆記具用キャップであって、吊り駒に、開口した空間部を有する収容部を形成するとともに、収容部の内壁面に、係止溝又は内方に突出した係止突起からなる第１の係止部と、内方に突出した突状の、開口部側の側面を開口部に向かうにしたがって漸次内径が大径となる傾斜面とし、反対側の側面を軸心方向に対して起立した起立面とした第２の係止部を設け、小径な頭端部を有した有底状の内キャップを、頭端部の外周面に、吊り駒の第１の係止部に係止可能な係止突起又は係止溝からなる第１の被係止部と、吊り駒の第２の係止部を乗り越えて係止可能な突状の、前方側の側面を前方に向かうにしたがって漸次外径が小径となる傾斜面とし、反対側の側面を軸心方向に対して起立した起立面とした第２の被係止部を形成し、内キャップの頭端部に形成した第１の被係止部を吊り駒の第１の係止部に係止するとともに第２の被係止部を吊り駒の第２の係止部より頭冠側に位置させて、頭端部を吊り駒の収容部に遊嵌し、吊り駒と内キャップとの間に弾性部材を配設して、内キャップをキャップ本体に対して摺動可能にかつキャップ本体の開口端部側に付勢して配したことを特徴とする、筆記具用キャップである。
【０００７】
本発明において、吊り駒と内キャップとの間に介在する弾性部材とは、軸心方向に圧縮されて弾発性を有するものであれば良く、例えばオーリングやコイルスプリング等が挙げられる。
【発明の効果】
【０００８】
本発明は前述したような構造なので、コイルスプリングを配設してキャップ本体に装着したクリップのばね性をだす構造の筆記具用キャップにおいて、筆記具本体をキャップに嵌合した際に、内キャップがキャップ本体の頭部側へ摺動可能なので、弾性部材が押圧され、その反発力で内キャップを筆記具本体の先端部分に衝接させるので、内キャップ内の気密が確実に保たれるし、弾性体の弾発力を適宜に設定することで内キャップ内の過剰な加圧を抑制する事ができる。
【０００９】
また、吊り駒に設けた第１の係止部と内キャップに設けた第１の被係止部との係止により、吊り駒と内キャップは連動して回転可能となるので、頭冠と吊り駒を止着する際に、内キャップに治具等を装着して吊り駒を回転させることもできるし、逆に治具を回転することなく保持すれば、吊り駒も回転することが無く、安定した位置で治具に保持でき、吊り駒の頭冠に対する位置だしも容易にできる。組立の際に、吊り駒と内キャップとの間に弾性部材を配した状態にセットしておき、内キャップを治具等で保持し、内キャップに治具に対して連動して回転可能な手段あるいは治具に対して回転不能な手段を講じることで、頭冠を固定して内キャップを回転することで、あるいは内キャップを固定して頭冠を回転することで頭冠と吊り駒を簡単に止着できるという利点がある。
【００１０】
また、吊り駒に設けた第２の係止部と内キャップに設けた第２の被係止部の形状が前記のような形状なので、吊り駒に内キャップを取付ける際は、第２の係止部の傾斜面と第２の被係止部の傾斜面が互いに滑りあって、内キャップの頭端部を吊り駒の収容部内に押圧して挿入しやすくなり、キャップに嵌合した筆記具本体を引き抜く等して外すときは、第２の係止部の起立面と第２の被係止部の起立面が衝接するので、容易に内キャップが吊り駒から外れることがない。組立性が良く、かつ一旦組立ててしまうと容易に組立が外れないという利点がある。
【発明を実施するための最良の形態】
【００１１】
本発明におけるキャップ本体は、合成樹脂で形成された１つの部材で構成されたものでも良いし、金属や木材等で形成した外筒の内面に合成樹脂で形成した内筒を配して構成されたものでも良い。
【実施例】
【００１２】
本実施例を図面を用いて説明するが、本実施例の筆記具用キャップ１は、キャップ本体２が合成樹脂製の内筒２ａの外側に金属製の外筒２ｂを配した万年筆用のキャップであるが、これに限定されるものではない。図１は、本実施例の万年筆用のキャップの縦断面図である。図２は、吊り駒の拡大断面図である。図３は、吊り駒の拡大側面図である。図４は、内キャップの拡大断面図である。図５は、図４におけるＡ−Ａ線部分の横断面図である。図６は、図４におけるＢ−Ｂ線部分の横断面図である。図７は、本実施例の万年筆用のキャップに万年筆本体を嵌合した状態を示す、要部を断面とした図である。図８は、弾性部材の他の実施例を示す万年筆用のキャップの縦断面図である。
【００１３】
本実施例の万年筆用のキャップ１は、キャップ本体２が合成樹脂製の内筒２ａの外側に金属製の外筒２ｂを配した構造のもので、両端は開口しており、頭端部３側の側面にはクリップ４の取付部５を挿入してある。該取付部５には、貫通した取付孔６を形成してある。内筒２ａの頭端部２ａａには内方へ突出した段部７を設けてある。
【００１４】
キャップ本体２の頭端部３には頭冠８を配してあり、キャップ本体２の内筒２ａの内部には、軸部９をクリップ４の取付孔６に挿入した吊り駒としての吊りビス１０が挿入してあり、前記軸部９に形成したねじ１１により吊りビス１０と頭冠８を螺着してある。吊りビス１０は、軸部９の後方に該軸部９より大径な中径部１２ａと該中径部１２ａより大径な大径部１２ｂとで構成された収容部１２を設けてあり（図２を参照）、収容部１２の大径部１２ｂが内筒２ａの段部７に衝接することで頭冠８側への移動を抑止されている。収容部１２の大径部１２ｂとクリップの取付部５の間にはコイルスプリング１３を設けてあり、クリップ４を頭冠８側に弾発してクリップ４の取付部５の前端面を頭冠８に衝接し、クリップの先端部１４が持ち上がる際のクリップ４のばね性を前記コイルスプリング１３により得ている。
【００１５】
図２及び図３に示すように、吊りビス１０の収容部１２の中径部１２ａと大径部１２ｂとには、連通した空間部１５がキャップ本体２の開口端部１６側を開口して設けてある。また、大径部１２ｂの外周面には内外を貫通し軸心方向に延びた第１の係止部となる係止溝１７が対向する２箇所に形成してある。収容部１２の開口端部の内壁面には、円周状に内方に突出し、開口部１８側の側面を開口部１８に向かうにしたがって漸次内径が大径となる傾斜面１９とし、反対側の側面を軸心方向に対して起立した起立面２０とした、第２の係止部となる係止突部２１を形成してある。
【００１６】
内キャップ２２は、図４〜図６に示すように、小径な頭端部２３を有した有底状であり、頭端部２３の前方に小径な突出部２４を設けた形状としてあり、頭端部２３の外周面には、前記吊りビス１０に形成した係止溝１８に係止する第１の被係止部である係止突起２５（図５を参照）と、前記吊りビス１０に形成した係止突部２１を乗り越えて係止可能な、前方側の側面を前方に向かうにしたがって漸次外径が小径となる傾斜面２６とし、反対側の側面を軸心方向に対して起立した起立面２７とした第２の被係止部である係止突起２８を形成してある。
【００１７】
内キャップ２２は、内筒２ａ内に収容して、前記係止突起２５を吊りビス１０の係止溝１７に係止して前進させ、前記係止突起２８を吊りビス１０の係止突部２１を乗り越えて係止突起２８を係止突部２１より頭冠８側に位置させ、突出部２４を吊りビス１０の中径部１２ａの空間部１５に位置し、頭端部２３を吊りビス１０の収容部１２の空間部１５に遊嵌して、内キャップ２２を内筒２ａ内に挿着してある。
【００１８】
吊りビス１０と内キャップ２２との間には、一方を吊りビス１０の中径部１２ａにおける空間部１５の底部１５ａ（図２を参照）に当接し、他方を内キャップ２２の頭端部２３の前方端面２３ａ（図４を参照）に当接し、内キャップ２２の突出部２４を内在させてコイルスプリング２９を配設してある。内キャップ２２は、キャップ本体２の開口端部１６側に付勢されるが、係止突起２８が吊りビス１０の係止突部２１に係止するので、キャップ本体２から抜け落ちることはない。
【００１９】
本実施例の万年筆用のキャップ１の組立について簡単に説明すると、先ず、内キャップ２２と吊りビス１０の間にコイルスプリング２９を突出部２４を内在（コイルスプリング２９の位置を安定して配することができる。）するように配して、吊りビス１０の収納部１２の空間部１５に内キャップ２２の頭端部２３を挿入して押圧する。内キャップ２２の係止突起２８は吊りビス１０の係止突部２１を乗り越えて前進し、係止突起２８を係止突部２１より前方に位置させて、吊りビス１０と内キャップ２２を１つのセットものとして組立てる。
【００２０】
次に、キャップ本体２にクリップの取付部５を挿入し、キャップ本体２の頭端部３に頭冠８を配し、前記セットものに吊りビス１０の軸部９および収容部の中径部１２ａを内在（コイルスプリング１３の位置を安定して配することができる。）するようにコイルスプリング１３を配して、内キャップ２２に治具（図示せず）を装着した状態でキャップ本体２内に挿入し、吊りビス１０の軸部９をクリップ４の取付孔６に挿入して、前記軸部９に形成したねじ１１により吊りビス１０と頭冠８を螺着する。その際、図４および図６に示すように、内キャップ２２には内方に突出した回転用突起３０を対向する２カ所に設けてあるので、治具を回転することにより内キャップ２２も回転し、内キャップ２２の係止突起２５の吊りビス１０の係止溝１７との係止により内キャップ２２に連動して吊りビス１０も回転し、吊りビス１０と頭冠８を容易に螺着できる。
【００２１】
キャップ２の本体の開口端部１６には、ねじ部を有した内リング３１を装着してあり（図１を参照）、図７に示すように、万年筆本体５０にねじ嵌合により取付ける。ねじ嵌合なので、ねじ嵌合の閉める度合により、キャップ本体２内に収容される内キャップ２２の端面と衝接する万年筆本体５０の首筒５１の先端部のキャップ本体２の開口部からの長さは、微妙に相違するが、内キャップ２２は前方に摺動可能なので、万年筆本体５０を嵌合する前の内キャップの位置をキャップ本体２の開口部からの長さを短めにしてやれば、万年筆本体５０を嵌合した際には確実に内キャップが首筒５１の先端部に衝接するので、確実に内キャップ内の気密を確保でき、かつ内キャップは前方に摺動可能なので内キャップ内が過剰に加圧されることがない。
【００２２】
図８に示す筆記具用キャップ１は、前記実施例における内キャップ２２と吊り駒１０の間に設けたコイルスプリング２９に換えて、オーリング３１を用いたものである。作用・硬化、組立方法は、前記実施例と同様である。
【産業上の利用可能性】
【００２３】
本発明は、クリップの取付部をキャップ本体に挿入し、クリップのばね性を出すためにクリップの取付部にスプリングを配し、気密性を向上するための内キャップを配した構造の筆記具用キャップに採用すものであるが、クリップの取付部にスプリングを配さないものにも利用できる。キャップ本体が、合成樹脂で形成された１つの部材で構成されたものでも、金属や木材等で形成した外筒と合成樹脂で形成した内筒とで構成されたもののどちらにも利用できる。
【図面の簡単な説明】
【００２４】
【図１】本実施例の万年筆用のキャップの縦断面図である。
【図２】吊り駒の拡大断面図である。
【図３】吊り駒の拡大側面図である。
【図４】内キャップの拡大断面図である。
【図５】図４におけるＡ−Ａ線部分の横断面図である。
【図６】図４におけるＢ−Ｂ線部分の横断面図である。
【図７】本実施例の万年筆用のキャップに万年筆本体を嵌合した状態を示す、要部を断面とした図である。
【図８】弾性部材の他の実施例を示す万年筆用のキャップの縦断面図である。
【符号の説明】
【００２５】
１  万年筆用のキャップ
２  キャップ本体
４  クリップ
５  取付部
８  頭冠
１０  吊りビス
１２  収容部
１３  コイルスプリング
１５  空間部
１７  係止溝
２１  係止突部
２２  内キャップ
２５  係止突起
２８  係止突起
２９  コイルスプリング
３２  オーリング
【図１】
2008194954.tif 000003
【図２】
2008194954.tif 000004
【図３】
2008194954.tif 000005
【図４】
2008194954.tif 000006
【図５】
2008194954.tif 000007
【図６】
2008194954.tif 000008
【図７】
2008194954.tif 000009
【図８】
2008194954.tif 000010